(57)【要約】【課題】台紙にブリスタを簡単に装着できるものとし、且つ装着したブリスタと台紙とが容易に外れて商品が抜け落ちてしまうことのない包装容器を得る。【解決手段】物品を収容する収容部を基板の前方へ突出させると共に、基板の両側縁を折り曲げて相対向する溝部を形成したブリスタと、折返部により互いが隣接するように折れる前面板と後面板とを有し、且つ後面板の両側縁をブリスタの溝部に挿着し前面板に設けた開口部にブリスタの収容部を嵌着させる台紙とを備えた包装容器であって、後面板の側縁に係合爪を形成し、ブリスタの溝部に設けた係合スリットに係合させた係合爪を台紙の前面板の側縁に形成した円弧状の膨出部が覆うことを特徴とする。【選択図】          図１
2008056330.tif 000002
【特許請求の範囲】
【請求項１】
物品を収容する収容部を基板の前方へ突出させると共に、基板の両側縁を折り曲げて相対向する溝部を形成したブリスタと、折返部により互いが隣接するように折れる前面板と後面板とを有し、且つ後面板の両側縁をブリスタの溝部に挿着し前面板に設けた開口部にブリスタの収容部を嵌着させる台紙とを備えた包装容器であって、後面板の側縁に係合爪を形成し、ブリスタの溝部に設けた係合スリットに係合させた係合爪を台紙の前面板の側縁に形成した円弧状の膨出部が覆うことを特徴とする包装容器。
【発明の詳細な説明】
【技術分野】
【０００１】
本発明は、商品を包装する包装容器に係り、特に筆記具等の小物商品に好適な包装容器に関する。
【背景技術】
【０００２】
従来より、筆記具等の小物商品は陳列棚のフックに吊り下げて陳列する方法が広く採用されている。また小物商品は、商品を包装した状態で展示が可能となる、所謂ブリスタパックと呼ばれる包装容器の利用も多い。
【０００３】
前記のブリスタパックには、収容部に収容した商品が見える透明な樹脂で形成したブリスタと、商品説明等の印刷を施した台紙とを組み合わせた構成のものがある。このような包装容器では、ブリスタの両側縁を折り曲げて溝部を形成し、その溝部に台紙をスライドさせることで挿着し、ブリスタを台紙にステープルで抜け止めしたものが多い。しかしながら、樹脂製のブリスタをステープル止めする場合、手作業での作業負荷が大きいことが問題視されている。そこでステープル止めを省略できる構造のものが実開昭５７−１１４６６５号公報により開示されている。
【０００４】
実開昭５７−１１４６６５号公報に記載の構造は、台紙をブリスタに装着する際に、台紙に設けた係合爪をブリスタの溝部に設けた係合スリットに係合させ抜け止めとする構造である。この構造は、ステープル止めが不要で組み立てが容易となるのだが、係合爪が外方に突出していることから、例えば輸送や陳列中に係合爪が破損して、台紙とブリスタとが外れて商品が抜け落ちてしまうという問題があった。
【特許文献１】実開昭５７−１１４６６５号公報
【発明の開示】
【発明が解決しようとする課題】
【０００５】
本発明が解決する課題は、台紙にブリスタを簡単に装着できるものとし、且つ装着したブリスタと台紙とが容易に外れて商品が抜け落ちてしまうことのない包装容器を得ることにある。
【課題を解決するための手段】
【０００６】
本発明は、
「物品を収容する収容部を基板の前方へ突出させると共に、基板の両側縁を折り曲げて相対向する溝部を形成したブリスタと、折返部により互いが隣接するように折れる前面板と後面板とを有し、且つ後面板の両側縁をブリスタの溝部に挿着し前面板に設けた開口部にブリスタの収容部を嵌着させる台紙とを備えた包装容器であって、後面板の側縁に係合爪を形成し、ブリスタの溝部に設けた係合スリットに係合させた係合爪を台紙の前面板の側縁に形成した円弧状の膨出部が覆うことを特徴とする包装容器。」
である。
【０００７】
ブリスタの収容部は収容する物品の形状に合わせた形状と寸法とし、台紙の前面板に設ける開口部は当該ブリスタの収容部に合わせた形状とする。また台紙に設ける係合爪は、ブリスタに挿着する時に当該ブリスタの端部が当接する側に傾斜部を有する形状が好ましく、係合した後は抜け難くなるように傾斜部の反対側は台紙の側縁に対して略垂直となる形状が好ましい。また、ブリスタの横巾は台紙の後面板を挿着することから後面板の横巾より若干大きくし、前面板の横巾はブリスタの横巾以上で且つ台紙の係合爪に重なる部分は当該係合爪を覆うことができるものとする。具体的に本発明では前面板の側縁に設けた円弧状の膨出部の裏側に係合爪が位置する構成とする。
【発明の効果】
【０００８】
本発明の包装容器は、台紙の係合爪とブリスタの係合スリットの係合とで抜け止めとするので、台紙にブリスタを簡単に装着することができ、また前面板の膨出部が係合爪を覆う構造なので、係合爪の損傷を防いで商品の抜け落ちを防止することができるものとなる。尚、本発明では特に、膨出部を円弧状とするため当該膨出部で他の物品を傷つけてしまうことが無く、また膨出部自体の変形も生じ難い。したがって膨出部の円弧は緩やかに形成することが好ましい。さらに本発明では、台紙の前面板の膨出部のパターンを異なる商品ごとに設定し、その膨出した箇所に商品の識別ができるマークを付けることにより、陳列棚の一つのフックに複数の異なる商品を吊り下げた場合においても、各々の膨出部がずれて、それぞれのマークが視認可能となるので、重なり合った商品群の中から自分の求める商品を見つけ易く、また販売店が在庫管理する上でも役立つものとなり、限られたスペースである陳列棚の有効利用ができるという利点がある。
【発明を実施するための最良の形態】
【０００９】
次に図面を参照しながら、本発明の包装容器について説明を行うが、本発明は以下の実施例に限定されるものではない。また図中の同じ部材、同じ部品については、同じ符号としてある。
図１は第一実施例の包装容器を示す斜視図で、図２は包装容器を組み立てている状態を示す図である。包装容器１は、基板２ａの前方に収容部２ｂを突出させたブリスタ２と、前面板３ａと後面板３ｂとを折返部３ｃにて折り返した台紙３とを組み合わせてなり、前記収容部２ｂを前面板３ａに設けた開口部３ｄに嵌着させている。尚、ブリスタ２は両側縁を折り曲げて形成した溝部２ｃに後面板３ｂをスライドさせて装着してある。尚、ブリスタ２の収容部２ｂにはボールペン４を収容してある。図２に示すように、前面板３ａは後面板３ｂの表側に隣接するよう折返部３ｃで矢印Ａの方向へ折り返す。また、ブリスタ２は後面板３ｂに対して矢印Ｂ方向にスライドさせることで挿着され、ブリスタ２の溝部２ｃに形成した係合スリット２ｄに後面板３ｂの係合爪３ｅを係合させて抜け止めの係合部５（図１参照）としてある。尚、本実施例の前面板３ａは、陳列棚のフックへ吊り下げるための吊孔３ｆを端部に設けてある。また、前面板３ａの側縁には複数の円弧状の膨出部３ｇを波形に設けてあり、図１に示すように膨出部３ｇが係合爪３ｅを覆うようにしてある。図３は本実施例の包装容器を裏から見た図である。折り返した前面板３ａは後面板３ｂの裏面に粘着テープＴで止めてある。
【００１０】
次に、本実施例の包装容器の陳列方法について図４および図５を用いて説明を行う。先ず、図４は第一実施例の包装容器を陳列棚に並列で吊り下げた状態の図である。前述の包装容器１の隣には、包装容器１の前面板３ａの膨出部３ｇと波形が組み合う膨出部３０ｇを前面板３０ａに有した包装容器１０を陳列してある。包装容器１０の構造は前述の包装容器１と同様のため詳述はしないが、包装容器１と同様に台紙３０の後面板３０ｂに設けた係合爪３０ｅと、ブリスタ２０の溝部２０ｃに設けた係合スリット２０ｄとが係合した係合爪３０ｅを膨出部３０ｇが覆っている。ブリスタ２０の基板２０ａから突出した収容部２０ｂにはシャープペンシル４０を収容してある。図に示すように、膨出部３ｇと膨出部３０ｇとの波形をずらして形成することで、フック１００に吊孔３ｆ，３０ｆで吊り下げた時に、双方の前面板が合致して見栄え良く、また陳列の横方向のスペースを減らすことが可能となる。また、陳列状態で係合爪３ａ，３０ｅはそれぞれの前面板３ａ，３０ａに設けた膨出部３ｇ，３０ｇの裏側となるので、係合爪３ｅ，３０ｅの損傷を防止することができる。図５は包装容器を陳列棚に重ねて吊り下げた状態の図である。図５では前述の包装容器１と包装容器１０とを交互にフック１００に吊り下げている。この時、膨出部３ｇと膨出部３０ｇとは互い違いに重なるので、正面から見た際には見えないブリスタの中身を、膨出部に記載されているボールペンを示す「Ｂ」、シャープペンシルを示す「Ｓ」の文字で識別することができる。また、ボールペンのインキ色である赤を示す「Ｒ」やシャープペンシルの鉛芯サイズ０．５ｍｍを示す「０５」も膨出部３ｇ，３０ｇで確認できる。
【００１１】
図６は第二実施例の包装容器を示す斜視図で、図７は包装容器を組み立てている状態を示す図である。包装容器６は、基板７ａの前方に収容部７ｂを突出させたブリスタ７と、前面板８ａと後面板８ｂとを折返部８ｃにて折り返した台紙８とを組み合わせてなり、前記収容部７ｂを前面板８ａに設けた開口部８ｄに嵌着させている。尚、ブリスタ７は両側縁を折り曲げて形成した溝部７ｃに後面板８ｂをスライドさせて装着してある。尚、ブリスタ７の収容部７ｂにはボールペン４を収容してある。図７に示すように、前面板８ａは後面板８ｂの表側に隣接するよう折返部８ｃで矢印Ａの方向へ折り返す。また、ブリスタ７は後面板８ｂに対して矢印Ｂ方向にスライドさせることで挿着され、ブリスタ７の溝部７ｃに形成した係合スリット７ｄに後面板８ｂの係合爪８ｅを係合させて抜け止めの係合部５（図６参照）としてある。尚、本実施例の前面板８ａ及び後面板８ｂには陳列棚のフックへ吊り下げるための吊孔８ｆ，８ｆ’を折返部８ｃ側に設けてあり、ブリスタ７の基板７ａにも吊孔８ｆ，８ｆ’に合致する吊孔７ｅを設けてある。尚、前面板８ａの側縁には複数の円弧状の膨出部８ｇを波形に設けてあり、図６に示すように膨出部８ｇが係合爪８ｅを覆うようにしてある。図８は本実施例の包装容器を裏から見た図である。折り返した前面板８ａは自重で垂れ下がるので後面板８ｂに対して止めなくてよい。
【００１２】
次に、本実施例の包装容器の陳列方法について図９および図１０を用いて説明を行う。先ず、図９は第二実施例の包装容器を陳列棚に並列で吊り下げた状態の図である。前述の包装容器６の隣には、包装容器６の前面板８ａの膨出部８ｇと波形が組み合う膨出部８０ｇを前面板８０ａに有した包装容器６０を陳列してある。包装容器６０の構造は前述の包装容器６と同様のため詳述はしないが、包装容器６と同様に台紙８０の後面板８０ｂに設けた係合爪８０ｅと、ブリスタ７０の溝部７０ｃに設けた係合スリット７０ｄとが係合した係合爪８０ｅを膨出部８０ｇが覆っている。ブリスタ７０の基板７０ａから突出した収容部７０ｂにはシャープペンシル４０を収容してある。図に示すように、膨出部８ｇと膨出部８０ｇとの波形をずらして形成することで、フック１００に吊孔８ｆ，８０ｆで吊り下げた時に、双方の前面板が合致して見栄え良く、また陳列の横方向のスペースを減らすことが可能となる。尚、第二実施例の包装容器６，６０は、フック１００に対して吊孔８ｆ，８ｆ’，７ｅあるいは吊孔８０ｆ，８０ｆ’，７０ｅで複合的に吊り下がるので強度的に優れる。また、陳列状態で係合爪８ｅ，８０ｅはそれぞれの前面板８ａ，８０ａに設けた膨出部８ｇ，８０ｇの裏側となるので、係合爪８ｅ，８０ｅの損傷を防止することができる。図１０は包装容器を陳列棚に重ねて吊り下げた状態の図である。図１０では前述の包装容器６と包装容器６０とを交互にフック１００に吊り下げている。この時、膨出部８ｇと膨出部８０ｇとは互い違いに重なるので、正面から見た際には見えないブリスタの中身を、膨出部に記載されているボールペンを示す「Ｂ」、シャープペンシルを示す「Ｓ」の文字で識別することができる。また、ボールペンのインキ色である赤を示す「Ｒ」やシャープペンシルの鉛芯サイズ０．５ｍｍを示す「０５」も膨出部８ｇ，８０ｇで確認できる。
【産業上の利用可能性】
【００１３】
本発明の包装容器は、台紙の前面板の面積を大きくすることで商品の特徴や使用方法等の情報を印刷するスペースを広く得ることができ、また台紙の前面板と後面板とを止めることなく容易に離間できる構造とし前面板の裏面にも印刷を施すことにより、陳列状態の包装容器を手に取った際に、より多くの情報を提供することができるものとなる。
【図面の簡単な説明】
【００１４】
【図１】第一実施例の包装容器を示す斜視図である。
【図２】包装容器を組み立てている状態を示す図である。
【図３】第一実施例の包装容器を裏から見た図である。
【図４】第一実施例の包装容器を陳列棚に並列で吊り下げた状態の図である。
【図５】包装容器を陳列棚に重ねて吊り下げた状態の図である。
【図６】第二実施例の包装容器を示す斜視図である。
【図７】包装容器を組み立てている状態を示す図である。
【図８】第二実施例の包装容器を裏から見た図である。
【図９】第二実施例の包装容器を陳列棚に並列で吊り下げた状態の図である。
【図１０】包装容器を陳列棚に重ねて吊り下げた状態の図である。
【符号の説明】
【００１５】
１，６…包装容器、
２，７…ブリスタ、２ａ，７ａ…基板、２ｂ，７０ｂ…収容部、
２ｃ，７ｃ…溝部、２ｄ，７ｄ…係合スリット、
３，８…台紙、３ａ，８ａ…前面板、３ｂ，８ｂ…後面板、
３ｃ，８ｃ…折返部、３ｄ，８ｄ…開口部、３ｅ，８ｅ…係合爪、
３ｆ，８ｆ…吊孔、３ｇ，８ｇ…膨出部
４…ボールペン、４０…シャープペンシル、
５…係合部。
【図１】
2008056330.tif 000003
【図２】
2008056330.tif 000004
【図３】
2008056330.tif 000005
【図４】
2008056330.tif 000006
【図５】
2008056330.tif 000007
【図６】
2008056330.tif 000008
【図７】
2008056330.tif 000009
【図８】
2008056330.tif 000010
【図９】
2008056330.tif 000011
【図１０】
2008056330.tif 000012